(57)【要約】【課題】精密部品のケーシングへの支持固定を仕切り用リブ以外の方法で行い、画像表示装置の小型化を進める。【解決手段】眼鏡１０に装着される画像表示装置３０において、表示パネル５５は、ケーシング３２内部に配置され、眼鏡１０の使用者が目視するための画像を表示する。制御基板５９は、ケーシング３２内部に配置され、画像の制御を行う。フレキシブルケーブル５６は、ケーシング３２内部において表示パネル５５と制御基板５９とを電気的に接続する。フレキシブルケーブル５６は、少なくとも１回折り曲げられ、表示パネル５５と制御基板５９との間に介在する部分を有する形状であることにより、制御基板５９を表示パネル５５に対しフローティング支持する。【選択図】図４
2018133768.tif 000002
【特許請求の範囲】
【請求項１】
眼鏡に支持されるケーシングと、
前記ケーシング内部において該ケーシングに配置され、前記眼鏡の使用者が目視するための画像を表示する表示パネルと、
前記ケーシング内部に配置され、前記画像の制御を行う制御基板と、
前記ケーシング内部において前記表示パネルと前記制御基板とを電気的に接続するフレキシブルな配線部と
を備え、
前記配線部は、少なくとも１回折り曲げられ、前記表示パネルと前記制御基板との間に介在する部分を有する形状であることにより、前記制御基板を前記表示パネルに対しフローティング支持する
ことを特徴とする画像表示装置。
【請求項２】
請求項１において、
前記ケーシングは、
開口が形成されており、少なくとも前記表示パネルを収容する本体部と、
前記本体部に装着された際に前記開口から露出する前記制御基板を遮蔽可能な蓋部と
を有し、
前記蓋部が前記本体部に装着された際、前記配線部は、前記蓋部による前記表示パネル側への力の作用により、前記制御基板を前記蓋部に向けて付勢することを特徴とする画像表示装置。
【請求項３】
請求項２において、
前記本体部及び前記蓋部には、前記蓋部が前記本体部に装着された際に前記本体部と前記蓋部とを係止するための係合爪部及び係合凹部が形成されている
ことを特徴とする画像表示装置。
【請求項４】
請求項２または請求項３において、
前記蓋部が前記本体部に装着された際、前記制御基板は、前記表示パネルの表面と平行に位置する
ことを特徴とする画面表示装置。
【請求項５】
請求項２から請求項４のいずれか１項において、
前記配線部は、前記表示パネルよりも前記蓋部側において前記表示パネルの表面に沿って延びる第１延設部と、前記表示パネルの厚み方向に沿って延びる第２延設部と、を有するように折り曲げられており、
前記第２延設部は、前記表示パネルと前記ケーシングの内面との間に形成された隙間に、差し込まれるようにして位置している
ことを特徴とする画像表示装置。
【発明の詳細な説明】
【技術分野】
【０００１】
本発明は、眼鏡に支持される画像表示装置に関する。
【背景技術】
【０００２】
画像表示装置には、頭部に装着して使用され、使用者の目前に画像を表示するヘッドマウンティングディスプレイ型のものがある。当該画像表示装置は、例えば手術のように両手がふさがる作業のみならず、バーチャルリアリティを駆使したゲーム機等に幅広く使用されている。
【０００３】
上記画像表示装置に関連する技術として、特許文献１が開示されている。特許文献１の画像表示装置は、表示パネルを収容したケーシングが眼鏡のレンズに支持される構造となっている。当該眼鏡を装着した使用者は、眼鏡のレンズを介して筐体内の表示パネルを目視することにより、表示パネルに表示された画像を見ることができる。
【先行技術文献】
【特許文献】
【０００４】
【特許文献１】特開２００６−５４６１８号公報
【発明の概要】
【発明が解決しようとする課題】
【０００５】
ヘッドマウンティングディスプレイ型の画像表示装置は、装着箇所が頭部であるため、できる限りの軽量化及び小型化が望まれる。
【０００６】
特許文献１の画像表示装置では、眼鏡のレンズに対応した２つのケーシングそれぞれの内部に、表示パネル、該表示パネルに表示する画像の制御を行う制御基板（変換基板）等の、複数の精密部品が収容されている。これらの精密部品に物理的な負荷がかかることは精密部品の破損及び故障の要因となるため、特許文献１では、各精密部品は、ケーシング内部に設けられたリブによって該ケーシング内での位置決めがなされ該ケーシングに支持固定されている。
【０００７】
しかしながら、上記仕切り用リブを用いた方法では、精密部品同士の間には、少なくともリブの厚み分の隙間が形成される。それ故、ケーシングのサイズを大きくせざるを得ず、画像表示装置の小型化を進めるには限界がある。
【０００８】
本発明は、かかる点に鑑みてなされたものであり、その目的は、精密部品のケーシングへの支持固定をリブ以外の方法で行い、画像表示装置の小型化を進めることである。
【課題を解決するための手段】
【０００９】
第１の発明は、眼鏡に支持されるケーシングと、前記ケーシング内部において該ケーシングに配置され、前記眼鏡の使用者が目視するための画像を表示する表示パネルと、前記ケーシング内部に配置され、前記画像の制御を行う制御基板と、前記ケーシング内部において前記表示パネルと前記制御基板とを電気的に接続するフレキシブルな配線部とを備え、前記配線部は、少なくとも１回折り曲げられ、前記表示パネルと前記制御基板との間に介在する部分を有する形状であることにより、前記制御基板を前記表示パネルに対しフローティング支持することを特徴とする画像表示装置である。
【００１０】
ここでは、フレキシブルな配線部は、少なくとも１回折り曲げられ、表示パネルと制御基板との間に介在する部分を有する形状となっている。配線部のこの形状により、制御基板は、表示パネルに対し、配線部の弾性力によってフローティング支持される。これにより、ケーシング内部に表示パネル及び制御基板の位置決め及び支持固定のためのリブを設けずとも、制御基板の位置は、配線部の弾性力に応じて適宜決定される。従って、リブ等を設けない分、ケーシングのサイズを小型にすることができる。更に、フレキシブルな配線部は、制御基板を表示パネルに対しフローティング支持するため、制御基板が表示パネルに直接接触する可能性は低い。従って、制御基板と表示パネルとの直接接触により制御基板及び表示パネルに物理的な負荷がかかることを抑制すると共に、制御基板で発生した熱が表示パネルに直接伝わって表示パネルに影響が及ぶことも回避できる。
【００１１】
第２の発明は、第１の発明において、前記ケーシングは、開口が形成されており、少なくとも前記表示パネルを収容する本体部と、前記本体部に装着された際に前記開口から露出する前記制御基板を遮蔽可能な蓋部とを有し、前記蓋部が前記本体部に装着された際、前記配線部は、前記蓋部による前記表示パネル側への力の作用により、前記制御基板を前記蓋部に向けて付勢することを特徴とする画像表示装置である。
【００１２】
ここでは、制御基板は、本体部に装着された蓋部により、表示パネル側に押された状態となる。更に、蓋部による表示パネル側への力は制御基板に繋がれた配線部に伝わるため、制御基板は、配線部の弾性力によって蓋部に向けて付勢された状態となる。これにより、制御基板のケーシング内での位置は、蓋部からの力と配線部からの力とが釣り合う位置に決められる。従って、制御基板の位置決めのためのリブをケーシング内部に設けずに済む。
【００１３】
第３の発明は、第２の発明において、前記本体部及び前記蓋部には、前記蓋部が前記本体部に装着された際に前記本体部と前記蓋部とを係止するための係合爪部及び係合凹部が形成されていることを特徴とする画像表示装置である。
【００１４】
これにより、ケーシング組み立ての際、ネジ等の別部品は不要となる。従って、画像表示装置の軽量化が図られ、また、ケーシングの組み立て作業は簡単となる。
【００１５】
第４の発明は、第２の発明または第３の発明において、前記蓋部が前記本体部に装着された際、前記制御基板は、前記表示パネルの表面と平行に位置することを特徴とする画面表示装置である。
【００１６】
仮に、制御基板が表示パネルに対し垂直に位置すると、その分ケーシングのサイズは大きくなる。これに対しここでは、ケーシング内部において、制御基板と表示パネルとは平行となっている。そのため、制御基板と表示パネルとが平行でない場合に比してケーシングのサイズを小さくすることができ、画像表示装置を確実に小型にすることができる。
【００１７】
第５の発明は、第２の発明から第４の発明のいずれか１つにおいて、前記配線部は、前記表示パネルよりも前記蓋部側において前記表示パネルの表面に沿って延びる第１延設部と、前記表示パネルの厚み方向に沿って延びる第２延設部と、を有するように折り曲げられており、前記第２延設部は、前記表示パネルと前記ケーシングの内面との間に形成された隙間に、差し込まれるようにして位置していることを特徴とする画像表示装置である。
【００１８】
このように、配線部の第２延設部が表示パネルとケーシングの内面との間の隙間に差し込まれることにより、ケーシング内部における配線部の位置が固定される。これに伴って、配線部によってフローティング支持される制御基板のケーシング内部での位置も、自ずと決定され易くなる。
【発明の効果】
【００１９】
本発明によれば、ケーシングのサイズを小型にすることができる。更に、制御基板と表示パネルとの直接接触により制御基板及び表示パネルに物理的な負荷がかかることを抑制すると共に、制御基板で発生した熱が表示パネルに直接伝わって表示パネルに影響が及ぶことも回避できる。
【図面の簡単な説明】
【００２０】
【図１】眼鏡に装着された画像表示装置の外観図である。
【図２】眼鏡に装着されていない画像表示装置の外観を表す図である。
【図３】眼鏡のレンズの一方に対応する画像表示装置の、主な構成部品の分解図である。
【図４】眼鏡のレンズの一方に対応する画像表示装置からフレームを取り外した部分の断面図である。
【図５】眼鏡のレンズの一方に対応する画像表示装置から、フレームと蓋部とを取り外した部分の外観図である。
【図６】配線部の平面図である。
【発明を実施するための形態】
【００２１】
以下、本発明の実施形態を図面に基づいて詳細に説明する。なお、以下の実施形態は、本質的に好ましい例示であって、本発明、その適用物、あるいはその用途の範囲を制限することを意図するものではない。
【００２２】
≪実施形態≫
＜概要＞
本実施形態に係る画像表示装置３０は、いわゆるヘッドマウンティングディスプレイ型の画像表示装置である。
【００２３】
具体的には、図１に示すように、画像表示装置３０は、例えば内視鏡手術において術者（使用者）が身につける眼鏡１０に装着されており、術者（使用者）が内視鏡の画像を確認するために用いられる。画像表示装置３０の内部には後述する表示パネル５５が設けられ、この表示パネル５５には内視鏡の画像が映し出されるようになっている。術者（使用者）は、画像表示装置３０が装着された眼鏡１０をかけて、該画像表示装置３０におけるケーシング３２の円筒部３４の端部側から画像表示装置３０内部を覗き込むことにより（図２参照）、表示パネル５５に映し出された内視鏡の画像を確認することができる。
【００２４】
なお、以下では、説明の便宜上、「上」「下」「左」「右」「正面」「背面」等の各方向を表す表現を適宜用いている。これらの表現は、図１及び図２に示されるように、画像表示装置３０が装着された状態の眼鏡１０を使用者が使用している場合での、各方向を表している。特に、使用者が画像表示装置３０を使用する状態において、使用者の左方向を「左」、使用者の右方向を「右」、画像表示装置３０が使用者側を向く方向を「正面」と云う。
【００２５】
ここで、上記眼鏡１０は、フレーム１１と、フレーム１１に取り付けられた左右一対のレンズ２２とを有する。フレーム１１は、各レンズ２２の外周縁部を覆い各レンズ２２を固定するリム１２がブリッジ１３によって繋がれた構成を有する。左側に位置するリム１２の左端部及び右側に位置するリム１２の右端部それぞれからは、ツル１４が延びており、各ツル１４の先端部は、使用者の耳にかけることができる形状となっている。
【００２６】
眼鏡１０の各レンズ２２には、画像表示装置３０におけるケーシング３２の円筒部３４を当該レンズ２２の厚み方向に隙間をもって貫通させるための貫通孔２２ａが形成されている。上記円筒部３４が、眼鏡１０の背面側から正面側に向かって貫通孔２２ａを貫通するようにして眼鏡１０に配置された状態にて、円筒部３４の先端部にフレーム３４ａが取り付けられることにより、画像表示装置３０は眼鏡１０に装着される。更に、画像表示装置３０には、図示していないが、眼鏡１０におけるフレーム１１のブリッジ１３に対応するようにしてクリップ状の固定部材が設けられている。この固定部材がブリッジ１３を挟持することによっても、画像表示装置３０は眼鏡１０に固定される。
【００２７】
＜画像表示装置の構成＞
上述した画像表示装置３０は、図１〜図３に示すように、主として、ケーシング３２、連結部４３、表示ユニット５３、フレキシブルケーブル５６（配線部に相当）及び制御基板５９を備える。
【００２８】
−ケーシング−
ケーシング３２は、画像表示装置３０を構成する精密部品（表示ユニット５３及び制御基板５９等）を内部に収容するものである。ケーシング３２は、樹脂等によって構成されており、眼鏡１０の左右一対のレンズ２２それぞれに対応して２つ設けられている。ケーシング３２は、連結部４３を介して眼鏡１０に支持され、眼鏡１０のレンズ２２それぞれに対応して位置する。
【００２９】
なお、図３は、画像表示装置３０のうち、眼鏡１０における２つのレンズ２２の一方に対応するケーシング３２とその内部の分解図を示している。
【００３０】
具体的に、ケーシング３２は、図２及び図３に示すように、本体部３３と、蓋部３７と、上カバー４１とを有する。ケーシング３２のうち、本体部３３はケーシング３２の正面側を構成し、蓋部３７はケーシング３２の背面側を構成する。上カバー４１は、組み立てられ一体化された本体部３３及び蓋部３７の上部分を覆うためのものである。
【００３１】
本体部３３は、正面方向（即ち、使用者側）に突出する円筒状の円筒部３４と、円筒部３４と連続して形成され外形が箱状の基台部３５とで構成されている。図４に示すように、円筒部３４の内周面には、調整レンズ５１及び拡大レンズ５２が取り付けられ、これらのレンズ５１，５２は円筒部３４内部に収容されている。円筒部３４内部には、表示パネル５５に表示された画像を使用者が目視し易いように、調整レンズ５１及び拡大レンズ５２の取り付け位置を調整するための機構が設けられる。基台部３５の内部は空洞であって、基台部３５における円筒部３４との接続面（即ち、基台部３５の正面側に位置する面）には、当該円筒部３４の直径と同程度の孔が形成されている。これにより、基台部３５の内部と円筒部３４の内部とは連通している。基台部３５の背面側の面は、図３に示すように開口している（開口部３３ａ）。このような基台部３５の内部には、図４に示すように、表示ユニット５３が収容される。
【００３２】
なお、図４では、図示簡単化のため、上カバー４１は省略している。
【００３３】
なお、表示ユニット５３には、図３に示すようにフレキシブルケーブル５６及び制御基板５９が接続されている。このうち、図５に示すように、本体部３３は、表示ユニット５３を確実に収容するものの、フレキシブルケーブル５６及び制御基板５９を確実には収容できておらず、フレキシブルケーブル５６及び制御基板５９は、開口部３３ａから露出した状態となっている。
【００３４】
蓋部３７は、図２及び図３に示すように、本体部３３の開口部３３ａを覆うための蓋本体３８、及び、蓋本体３８と一体形成されており蓋本体３８から背面側に突出しているネジ用突出部３９で構成されている。
【００３５】
蓋本体３８は、概ね箱状であるが、正面を構成する面及び上面を構成する面の一部が開口している。本実施形態では、蓋本体３８の開口部側から蓋本体３８の内部側へと、本体部３３における基台部３５が蓋本体３８に装着される。その際、図２に示すように、基台部３５の側面の外表面が概ね蓋本体３８の側面によって覆われるように、蓋本体３８の内寸は基台部３５の外寸よりも若干大きく形成されている。即ち、蓋部３７が本体部３３に装着された際、蓋本体３８の外表面は外部に露出した状態となる。
【００３６】
図３に示すように、ネジ用突出部３９は、蓋本体３８から背面側に突出し、且つ、上下方向に延びている。ネジ用突出部３９には、ネジ４５（図２参照）のサイズに即したネジ孔３９ａが１つ形成されている。また、蓋本体３８の上面には、ネジ４１ａのサイズに即した２つのネジ孔３９ｂが、ネジ用突出部３９のネジ孔３９ａを左右方向にて挟むようにして形成されている。いずれのネジ孔３９ａ，３９ｂも、固定ネジ用突出部３９及び蓋本体３８それぞれの上方向に開口している。本実施形態では、ネジ孔３９ａの直径は、ネジ孔３９ｂの直径よりも大きい。
【００３７】
特に、本実施形態では、図３に示すように、本体部３３の基台部３５には係合爪部３５ａが形成され、蓋部３７の蓋本体３８には係合凹部３８ａが形成されている。係合爪部３５ａ及び係合凹部３８ａは、蓋部３７が本体部３３に装着された際に互いに重畳する基台部３５の側面及び蓋本体３８の側面において、互いに対応する位置に形成されている。蓋部３７を本体部３３に装着する際には、蓋部３７の開口部分と本体部３３の開口部３３ａ同士を突き合わせた状態で、係合爪部３５ａを係合凹部３８ａに係合させることで、本体部３３及び蓋部３７は係止される。これにより、本体部３３と蓋部３７とが一体的に組み立てられてケーシング３２となる。
【００３８】
このように蓋部３７が本体部３３に装着された際、本体部３３の開口部３３ａから露出していたフレキシブルケーブル５６及び制御基板５９は（図５参照）、蓋部３７によって遮蔽された状態となる。そして、上カバー４１が本体部３３及び蓋部３７の上部分を覆うように配置され、上カバー４１の上方から当該上カバー４１を介して各ネジ孔３９ｂそれぞれにネジ４１ａが嵌め込まれる。これにより、表示ユニット５３のみならず、フレキシブルケーブル５６及び制御基板５９がケーシング３２内部に収容された状態となる。
【００３９】
−連結部−
連結部４３は、２つのケーシング３２を連結するためのものであって、図１及び図２に示すように、主に左右方向に延びている。連結部４３は、ケーシング３２と同様に、例えば樹脂で構成されている。
【００４０】
図２に示すように、連結部４３には、左方向端部付近及び右方向端部付近それぞれに、上下に貫通する長孔４３ａが１つずつ形成されている。長孔４３ａには、上からネジ４５が差し込まれ、ネジ４５は各ケーシング３２のネジ孔３９ａに螺合される。これにより、各ケーシング３２は連結部４３に固定される。なお、ここでは、ネジ４５のサイズがネジ４１ａよりも大きい場合を例示している。
【００４１】
なお、本実施形態では、各長孔４３ａは、左右方向に細長い形状を有している。これは、使用者の目の位置にケーシング３２の円筒部３４が合致するように、ケーシング３２の位置を左右方向に調節するためである。
【００４２】
−表示ユニット−
表示ユニット５３は、各ケーシング３２に対応して１つずつ設けられ、図５に示すように、各ケーシング３２の本体部３３内部に配置されている。表示ユニット５３は、表示部本体５４と、表示パネル５５とを有する。
【００４３】
表示部本体５４は、図３に示すように、箱状の形状を呈する樹脂性のケーシング内部に、表示パネル５５に画面を映すために必要となる部品（例えば電極や電圧印加用の電源等）が収容されたものである。
【００４４】
表示パネル５５は、眼鏡１０の使用者が目視するための画像を表示するディスプレイであって、平面視において矩形形状を有する。一般的に、ディスプレイの種類としては、有機ＥＬディスプレイ、液晶ディスプレイ、プラズマディスプレイ等が存在するが、本実施形態に係る画像表示装置３０がヘッドマウンティングディスプレイ型であるため、表示パネル５５は小型且つ軽量なものが望ましい。一例として、表示パネル５５には、バックライトが不要であり薄型化及び軽量化が可能な有機ＥＬディスプレイを採用することができる。
【００４５】
−フレキシブルケーブル−
フレキシブルケーブル５６は、ケーシング３２内部において表示パネル５５と制御基板５９とを電気的に接続する。フレキシブルケーブル５６は、ある程度の柔軟性を有し、繰り返し折り曲げることが可能な配線導体である。例えば、フレキシブルケーブル５６は、ポリイミド等の耐熱性を有する樹脂材料の間に、銅箔のようなフレキシブルな導電材料が挟まれて構成されている。
【００４６】
特に、本実施形態に係るフレキシブルケーブル５６は、図３〜図５に示すように、少なくとも１回折り曲げられた構造となっているが、この詳細については“＜フレキシブルケーブル及び制御基板の配置構造＞”にて述べる。
【００４７】
−制御基板−
制御基板５９は、表示パネル５５に表示される画像制御を行う制御回路等が実装されたプリント基板であって、ケーシング３２内部に配置されている。制御基板５９は、表示パネル５５と同様、平面視において矩形形状を有し、図３及び図４に示すように、コネクタ５９ａを介してフレキシブルケーブル５６と接続されている。なお、制御基板５９は、制御基板５９の４辺のうちの１辺付近にて、フレキシブルケーブル５６と接続されている。
【００４８】
蓋部３７が本体部３３に装着された際、平面視において制御基板５９の各辺が表示パネル５５の各辺と対応する状態で、制御基板５９の平面はフレキシブルケーブル５６を介して表示パネル５５の表面と平行に位置する。
【００４９】
制御基板５９は、画像表示装置３０の外部からケーブル６３（図１参照）を介して送られてくるビデオ信号やＲＧＢ信号などの画像信号を受信して、この画像信号に基づく画像を表示パネル５５に表示する。
【００５０】
＜フレキシブルケーブル及び制御基板の配置構造＞
次に、ケーシング３２内部におけるフレキシブルケーブル５６及び制御基板５９の配置構造について詳述する。
【００５１】
本実施形態に係るフレキシブルケーブル５６は、図４及び図５に示すように、複数箇所で折り曲げられ、表示パネル５５と制御基板５９との間に介在する部分（後述する第１延設部５７）を有する形状を有している。この形状により、フレキシブルケーブル５６は、制御基板５９を表示パネル５５に対しフローティング支持している。
【００５２】
ここで、図４及び図６を用いて、フレキシブルケーブル５６がどのように折り曲げられるかについて説明する。図６は、折り曲げられる前のフレキシブルケーブル５６の平面図であり、図中では、フレキシブルケーブル５６の折り曲げ箇所を破線Ａ〜Ｃ及び一点鎖線Ｄ〜Ｆにて表している。図４のフレキシブルケーブル５６に表された符合Ａ〜Ｆは、図６の破線Ａ〜Ｃ及び一点鎖線Ｄ〜Ｆと対応している。
【００５３】
図６に示すように、折り曲げられる前のフレキシブルケーブル５６は、肉薄ながらも細長く延びる形状を有している。図６では、フレキシブルケーブル５６の各端部のうち、表示パネル５５との接続部分を一端部５６ａ、制御基板５９のコネクタ５９ａとの接続部分を他端部５６ｂとして表している。フレキシブルケーブル５６の一端部５６ａの幅は、接続相手である表示パネル５５の１辺の長さと同程度ないしは若干狭く、フレキシブルケーブル５６の他端部５６ｂの幅は、接続相手であるコネクタ５９ａの幅と同程度ないしは若干狭い。
【００５４】
表示パネル５５の表示領域が図６に示すように図面の表側に位置する場合、フレキシブルケーブル５６は、一端部５６ａから他端部５６ｂにかけて、Ａ点、Ｂ点、Ｃ点では、図６中の破線Ａ〜Ｃに沿って谷折りされ、Ｄ点、Ｅ点、Ｆ点では、図６中の一点鎖線Ｄ〜Ｆに沿って山折りされる。図６の破線Ａ〜Ｃ及び一点鎖線Ｄ〜Ｆは、フレキシブルケーブル５６の幅方向、即ち、フレキシブルケーブル５６の延設方向（一端部５６ａから他端部５６ｂに向かう方向）に対し概ね垂直な方向、に沿った線と定義できる。このように折り曲げることにより、フレキシブルケーブル５６は、図４及び図５に示すような形状となる。
【００５５】
蓋部３７が本体部３３に装着された際、図４に示すように、フレキシブルケーブル５６におけるＡ点からＢ点にかけての部分は、表示パネル５５に対し表示パネル５５側から制御基板５９側に向かって延びる部分を構成する。フレキシブルケーブル５６におけるＢ点からＣ点にかけての部分は、表示パネル５５よりも蓋部３７側において、表示パネル５５の表面及び制御基板５９の平面に沿って延びる第１延設部５７を構成する。Ｃ点からＦ点にかけての部分は、表示ユニット５３の厚み方向に沿って延びる第２延設部５８を構成する。この第２延設部５８は、表示パネル５５とケーシング３２の内面との間に形成された隙間６１に、基台部３５側から円筒部３４側へと差し込まれるようにして位置する。上記隙間６１は、本実施形態では、図５に示すように、表示ユニット５３の表示部本体５４の外表面と、ケーシング３２の本体部３３における基台部３５の内面とで構成されている。
【００５６】
具体的には、図３に示すように、本体部３３における基台部３５の内面における上下端部付近には、位置決め用リブ３５ｂが形成されている。この位置決め用リブ３５ｂは、本体部３３内部での表示ユニット５３の配置位置を決定するためのものである。表示ユニット５３は、上下に設けられた位置決め用リブ３５ｂによって挟まれるように、本体部３３の内部に挿入される。これにより、表示ユニット５３は、表示部本体５４の外表面の上面及び下面それぞれが本体部３３の内側における上下端部とは当接していない状態にて、本体部３３内部に固定される。それ故、表示部本体５４の外表面と基台部３５の内面における上下端部との間には、上記隙間６１が形成される。
【００５７】
特に、図５に示すように、フレキシブルケーブル５６の一端部５６ａは、表示パネル５５の一辺にて接続され、フレキシブルケーブル５６の他端部５６ｂは、当該一辺と対向する表示パネル５５の他辺側にて、制御基板５９のコネクタ５９ａと接続されている。隙間６１は、当該他辺側に形成されている。即ち、フレキシブルケーブル５６における表示パネル５５との接続部分と、フレキシブルケーブル５６の第２延設部５８の差し込み位置とは、表示パネル５５の平面視において表示パネル５５を挟んで位置していると言える。
【００５８】
具体的に、上記第２延設部５８のうち、図４のＣ点からＤ点にかけての部分及びＥ点からＦ点にかけての部分は、表示パネル５５（表示ユニット５３）の厚み方向に沿って延び、Ｄ点からＥ点にかけての部分は、フレキシブルケーブル５６の各部分の中で最も円筒部３４に近く、フレキシブルケーブル５６の差し込み方向最深部に位置すると云うことができる。
【００５９】
本実施形態に係るケーシング３２には、制御基板５９をケーシング３２内部に支持固定するための、例えばリブやビスのような支持部材は何ら設けられておらず、制御基板５９は、上述したように折り曲げられた形状のフレキシブルケーブル５６に連結され支持されている。当該フレキシブルケーブル５６は、ケーブル自身の材質に加え上述したような折り曲げ形状を有することにより、制御基板５９の弾性支持部材として機能し、制御基板５９を、表示ユニット５３の厚み方向にフローティング支持する。具体的には、蓋部３７が本体部３３に装着された際、制御基板５９における蓋部３７側の平面は蓋部３７に接触し、制御基板５９には、蓋部３７により表示パネル５５側への力（即ち、図４において背面側から正面側へと押す力）が作用する。この力は、フレキシブルケーブル５６にも伝わる。すると、フレキシブルケーブル５６は、当該力の作用により、制御基板５９を逆に蓋部３７側に向けて付勢する。
【００６０】
これにより、制御基板５９は、表示パネル５５に直接当接せず、ケーシング３２内部のうち、蓋部３７及び表示パネル５５間の空間に位置する。従って、表示パネル５５に制御基板５９が直接当接することよる物理的な負荷は、表示パネル５５にも制御基板５９にもかかりにくくなっている。また、制御基板５９には、コンデンサや抵抗等といった発熱部品が実装されているが、制御基板５９と表示パネル５５との間にはフレキシブルケーブル５６の第１延設部５７が位置しており、これらの部品が発した熱は、表示パネル５５に直接伝わりにくくなっている。
【００６１】
特に、制御基板５９は、蓋部３７及び表示パネル５５間のうち、蓋部３７により作用される力とフレキシブルケーブル５６の付勢力とが釣り合う位置にて支持（フローティング支持）される。即ち、制御基板５９のケーシング３２内部での位置は、リブのような固定支持手段を設けずとも、力の釣り合によって自ずと決定される。
【００６２】
＜効果＞
本実施形態では、図３及び図４に示すように、フレキシブルケーブル５６は、少なくとも１回折り曲げられ、表示パネル５５と制御基板５９との間に介在する部分（第１延設部５７）を有する形状となっている。フレキシブルケーブル５６のこの形状により、制御基板５９は、表示パネル５５に対し、フレキシブルケーブル５６の弾性力によってフローティング支持される。これにより、ケーシング３２内部に表示パネル５５及び制御基板５９の位置決め及び支持固定するためのリブ等を設けずとも、制御基板５９の位置は、フレキシブルケーブル５６の弾性力に応じて適宜決定される。従って、リブ等を設けない分、ケーシング３２のサイズを小型にすることができる。更に、フレキシブルケーブル５６は、制御基板５９を表示パネル５５に対しフローティング支持するため、制御基板５９が表示パネル５５に直接接触する可能性は低い。従って、制御基板５９と表示パネル５５との直接接触により制御基板５９及び表示パネル５５に物理的な負荷がかかることを抑制すると共に、制御基板５９で発生した熱が表示パネル５５に直接伝わって表示パネル５５に影響が及ぶことも回避できる。
【００６３】
具体的に、ケーシング３２は、本体部３３と、本体部３３に装着される蓋部３７とを含む。制御基板５９は、本体部３３に装着された蓋部３７により、表示パネル５５側に押された状態となる。更に、蓋部３７による表示パネル５５側への力は、制御基板５９に繋がれたフレキシブルケーブル５６に伝わるため、制御基板５９は、フレキシブルケーブル５６の弾性力によって蓋部３７に向けて付勢された状態となる。これにより、制御基板５９のケーシング３２内での位置は、蓋部３７からの力とフレキシブルケーブル５６からの付勢力とが釣り合う位置に決められる。従って、制御基板５９の位置決めのためのリブ等をケーシング３２内部に設けずに済む。
【００６４】
また、本実施形態では、本体部３３に係合爪部３５ａが形成され、蓋部３７には係合凹部３８ａが形成されている。係合爪部３５ａと係合凹部３８ａとが係合することにより、本体部３３と蓋部３７とが係止されるため、ケーシング３２組み立ての際、ネジ等の別部品は不要となる。従って、画像表示装置３０の軽量化が図られ、また、ケーシング３２の組み立て作業は簡単となる。
【００６５】
仮に、ケーシング３２内部において制御基板５９が表示パネル５５に対し垂直に位置すると、その分ケーシング３２のサイズは大きくなる。これに対し、本実施形態では、ケーシング３２内部において、制御基板５９と表示パネル５５とは平行となっている。そのため、制御基板５９と表示パネル５５とが平行でない場合に比してケーシング３２のサイズを小さくすることができ、画像表示装置３０を確実に小型にすることができる。
【００６６】
また、本実施形態では、フレキシブルケーブル５６の第２延設部５８が、隙間６１に差し込まれて位置することにより、ケーシング３２内部におけるフレキシブルケーブル５６の位置が固定される。これに伴って、フレキシブルケーブル５６によってフローティング支持される制御基板５９のケーシング３２内部での位置も、自ずと決定され易くなる。
【００６７】
≪その他の実施形態≫
上記実施形態において、上記第２延設部５８の隙間６１への差し込み長さ、即ち、図４のＤ点からＥ点にかけての部分である差し込み方向最深部が、隙間６１においてどこに位置するかは、適宜調節することができる。この調節により、蓋部３７により作用される力とフレキシブルケーブル５６の付勢力とが釣り合う位置を変化させて、制御基板５９のケーシング３２内部での位置を調節することができる。
【００６８】
上記実施形態では、図３に示すように、ケーシング３２が、正面側に位置する本体部３３と背面側に位置する蓋部３７とを有すると説明した。しかし、ケーシング３２内部において、制御基板５９がフレキシブルケーブル５６によってフローティング支持されれば良く、ケーシング３２の構成は上記に限定されずどのような構成であってもよい。
【００６９】
上記実施形態では、本体部３３に係合爪部３５ａが形成され蓋部３７に係合凹部３８ａが形成されていると説明した。しかし、本体部３３及び蓋部３７は、係合爪部３５ａ及び係合凹部３８ａ以外の手段によって連結されてもよい。また、係合爪部が蓋部３７に形成され、係合凹部が本体部３３に形成されていてもよい。
【００７０】
上記実施形態では、蓋部３７が本体部３３に装着された際、制御基板５９の平面は表示パネル５５の表面と平行に位置すると説明した。しかし、制御基板５９の平面は、必ずしも表示パネル５５の表面と平行でなくてもよい。
【００７１】
上記実施形態では、フレキシブルケーブル５６の第２延設部５８が、隙間６１に差し込まれるようにして位置すると説明した。しかし、第２延設部５８の差し込み位置は、隙間６１に限定されない。
【００７２】
また、第２延設部５８が隙間６１に差し込まれる際、隙間６１の位置は、表示パネル５５とケーシング３２の内面との間であればよく、図５で示したように表示部本体５４とケーシング３２との間に限定されない。
【００７３】
また、上記実施形態では、図４及び図５に示すように、フレキシブルケーブル５６と表示パネル５５との接続部分、及び、第２延設部５８の差し込み位置が、表示パネル５５の平面視において表示パネル５５を挟んで位置していると説明したが、必ずしもこれに限定されることはない。
【００７４】
フレキシブルケーブル５６の折り曲げ方及び折り曲げ後の形状は、図４〜図６に限定されずともよい。例えば、フレキシブルケーブル５６は、表示パネル５５と制御基板５９とを繋ぐ間において１回のみ折り曲げられていても良い。
【００７５】
表示パネル５５を含む表示ユニット５３は、ケーシング３２内に配置されていればよく、ケーシング３２内に固定されていなくてもよい。
【００７６】
また、上記実施形態では、図３に示す世に、表示ユニット５３が、ケーシング３２内部の位置決め用リブ３５ｂによって位置決めされ固定される場合を説明した。しかし、ケーシング３２内部での表示ユニット５３の位置決めの方法は、これに限定されない。
【産業上の利用可能性】
【００７７】
本発明は、ケーシングのサイズを小型化できるため、ヘッドマウンティングディスプレイ型の画像表示装置について有用である。
【符号の説明】
【００７８】
１０  眼鏡
３０  画像表示装置
３２  ケーシング
３３  本体部
３５ａ  係合爪部
３７  蓋部
３８ａ  係合凹部
５５  表示パネル
５６  フレキシブルケーブル（配線部）
５７  第１延設部
５８  第２延設部
５９  制御基板
【図１】
2018133768.tif 000003
【図２】
2018133768.tif 000004
【図３】
2018133768.tif 000005
【図４】
2018133768.tif 000006
【図５】
2018133768.tif 000007
【図６】
2018133768.tif 000008